(57)【要約】      （修正有）【課題】ドアに施工を施す必要がなく、装置全体を戸枠側に配備することができる指詰め事故防止装置の提供。【解決手段】ドア枠１の上の横枠１ａに固定的に取付けられる基板１０と、この基板１０の支軸１２に後端部が位置するように軸支されていると共に、先端部にドアの内壁面に交差状態に当接する接触子１８を有する回転アーム１５と、この回転アーム１５に内装されていると共に該回転アーム１５を先端部方向へ押し戻すダンパバネと、回転アーム１５をドアに対して突っ支い棒状態となる初期位置へ付勢する復帰バネとを備え、ダンパバネの圧力が、ドアが普通の状態で閉まる所定圧の場合には、回転アーム１５はドアの内壁面に当たりながら該ドアが閉じる位置へと変位し、一方、ダンパバネが、ドアが勢いよく閉まる所定圧よりも高い場合には、回転アーム１５はダンパバネのバネ力に抗して後退動して前記基板１０のストッパーに一時的にロック状態に支持される。【選択図】図５
2011214227.tif 000002
【特許請求の範囲】
【請求項１】
ドア枠の上横枠に固定的に取付けられる基板と、この基板の支軸に後端部が位置するように軸支されていると共に先端部にドアの内壁面に交差状態に当接する接触子を有する回転アームと、この回転アームに内装されていると共に該回転アームを先端部方向へ押し戻すダンパバネと、回転アームをドアに対して突っ支い棒状態となる初期位置へ付勢する復帰バネとを備え、前記ダンパバネの圧力が、ドアが普通の状態で閉まる所定圧の場合には、前記回転アームは前記ドアの内壁面に当たりながら該ドアが閉じる位置へと変位し、一方、前記ダンパバネが、ドアが勢いよく閉まる前記所定圧よりも高い場合には、前記回転アームは前記ダンパバネのバネ力に抗して後退動して前記基板にその回転が一時的にロック状態に支持されることを特徴とする指詰め事故防止装置。
【請求項２】
請求項１に於いて、回転アームは、水平方向に二分割された枠体プレートであり、これらの枠体プレートの中に、ダンパバネの先端部を支持するバネ端支持片と、前記ダンパバネと、該ダンパバネの後端部を受けると共に基板の支軸に軸支された短杆状の支持腕と、該支持腕に一端部が圧接すると共にその他端部が前記基板に圧接する復帰バネが、それぞれ組み込まれていることを特徴とする指詰め事故防止装置。
【請求項３】
請求項１に於いて、基板は縦断面軽ミゾ形綱状に形成され、その内壁面にストッパーが突設されていることを特徴とする指詰め事故防止装置。
【請求項４】
請求項１に於いて、ドア枠の上横枠には、少なくとも基板の左右又はその一方を囲む受け板を有する防御枠体が固定され、該防御枠体は、指詰め事故防止装置が破損した際に、転アームが直接飛び散って床面落下しないように一時的に受けることを特徴とする指詰め事故防止装置。
【発明の詳細な説明】
【技術分野】
【０００１】
本発明は指詰め事故防止装置に関し、特に、風圧のかかり易い高層マンション等の建物のドアに対してドア枠に配備される指詰め事故防止装置に関する。
【背景技術】
【０００２】
特許文献１には、「ドア衝撃保護具あるいはその装置」が開示されている。この特許文献１に記載のドア衝撃保護装置は、本願発明と同様に「指詰め事故防止装置」にするもので、基本的には、ドアの自由端部の内壁面に固定される側端開口２２のケース２と、このケースの収納室２１に転動自在に内装された環状当り片３と、一方、ドア枠の縦枠の縁部内面に固定されたストッパー４とから成り、ドアを通常の速度状態で閉めた場合には、環状当り片３は、ケースの収納室２１内に設けたレール状の底面傾斜体を滑動しながら側端開口２２から突出せず、これに対して、ドアを通常の速度よりも速い状態で閉めた場合には、前記環状当り片３は、遠心力により勢いよく前記底面傾斜体を滑動しながら側端開口２２から突出し、ドア枠の肉厚状ストッパー４に衝突するものである（符号は公報記載のものを援用）。
【０００３】
この特許文献１に記載の発明は、例えば高層マンションのドアに強風が継続的に当っている場合に於いて、ドアを通常の速度よりも速い状態で閉めたとき、環状当り片が、その遠心力により勢いよく側端開口から突出してストッパーに衝突することから、少なくともストッパーの肉厚の分に相当する間隙により、「指詰め事故」を防止することができるという効果を期待することができる。
【０００４】
しかしながら、この特許文献１の問題点は、次のとおりである。（ａ）ドアを通常の速度よりも速い状態で閉めること、環状当り片が十分な位置まで飛び出ること、環状当り片が戻らない内にストッパーに衝突すること等の条件を全て満たさない限り、指詰め事故を防止することができない。（ｂ）ストッパーを除くドア衝撃保護具を、例えばドアの自由端部の外壁面に複数本の固着具を用いて取り付けることになるが、固着具を用いて取り付けること、壁面に突起物を装着すること等は、一般の需要者に違和感を与える。また、ドアの壁面に物を付着する行為は、普通一般には行わないので、外観上の理由から好まれていない。（ｃ）ドアに強風が継続的に当っているか否かを問わず、十分に注意しながらドアを通常の速度よりも速い閉めることができない。したがって、ドアを閉める際には、常に注意深く行わなければならない。
【先行技術文献】
【特許文献】
【０００５】
【特許文献１】特開平７−２８６４７３号公報
【発明の概要】
【発明が解決しようとする課題】
【０００６】
本発明の所期の目的は、ドアに施工を施す必要がなく、装置全体を戸枠（扉枠）の上横枠に配備することができることである。第２の目的は、閉扉時、装置にドアを介して所定圧よりも高い圧力が加わった場合には、ドアを一時停止させ、これによりドアを閉める者に注意を喚起させることができることである。第３の目的は、回転アームの中に、バネ端支持片、ダンパバネ、支持腕等の部材を簡単に組み込むことができることである。第３の目的は、回転アームを軸支する基板を強くすることである。第４の目的は、指詰め事故防止装置が破損した際に、転アームが直接飛び散って床面落下しないように一時的に受ける部材を加味することである。
【課題を解決するための手段】
【０００７】
請求項１に係る発明は、ドア枠の上横枠に固定的に取付けられる基板と、この基板の支軸に後端部が位置するように軸支されていると共に先端部にドアの内壁面に交差状態に当接する接触子を有する回転アームと、この回転アームに内装されていると共に該回転アームを先端部方向へ押し戻すダンパバネと、回転アームをドアに対して突っ支い棒状態となる初期位置へ付勢する復帰バネとを備え、前記ダンパバネの圧力が、ドアが普通の状態で閉まる所定圧の場合には、前記回転アームは前記ドアの内壁面に当たりながら該ドアが閉じる位置へと変位し、一方、前記ダンパバネが、ドアが勢いよく閉まる前記所定圧よりも高い場合には、前記回転アームは前記ダンパバネのバネ力に抗して後退動して前記基板にその回転が一時的にロック状態に支持されることを特徴とする指詰め事故防止装置である。
【０００８】
請求項２に係る発明は、前記回転アームは、水平方向に二分割された枠体プレートであり、これらの枠体プレートの中に、ダンパバネの先端部を支持するバネ端支持片と、ダンパバネと、該ダンパバネの後端部を受けると共に基板の支軸に軸支された短杆状の支持腕と、該支持腕に一端部が圧接すると共にその他端部が前記基板に圧接する復帰バネが、それぞれ組み込まれていることを特徴とする指詰め事故防止装置である。
【０００９】
請求項３に係る発明は、前記基板は縦断面軽ミゾ形綱状に形成され、その内壁面にストッパーが突設されていることを特徴とする指詰め事故防止装置である。
請求項４に係る発明は、前記ドア枠の上の横枠には、少なくとも基板の左右又はその一方を囲む受け板を有する防御枠体が固定され、該防御枠体は、指詰め事故防止装置が破損した際に、転アームが直接飛び散って床面落下しないように一時的に受けることを特徴とする指詰め事故防止装置である。
【発明の効果】
【００１０】
本発明によれば、本装置をドアの自由端部に取り付ける必要はない。すなわち、ドア枠側に固定的に取付け可能な基板に対して支軸、回転アーム及びバネ部材を取付けるので、本装置の全てが戸枠側の適宜個所に配備される。したがって、ドアに施工を施す必要がなく、しかも、ドアクローザの如く、装置が室外から見えない。また、ドアの外壁面にかかる風圧、換言すると、例えば本装置のダンパバネにかかる所定圧を基準として回転中のドアを一時停止させるので、ドアを常に注意深く閉めなくても良い。
【００１１】
付言すると、閉扉時、装置にドアを介して所定圧よりも高い圧力が加わった場合には、ドアは本装置により一時停止するので、これによりドアを閉める者に注意を喚起し、「指詰め事故」を防止の効果を期待することができる。さらに、各構成部品を簡単に組み合わせることができる。加えて、本装置の指詰め事故防止装置が破損した際に、転アームが直接飛び散って床面落下しないようにすることができる。
【図面の簡単な説明】
【００１２】
【図１】実施環境を示す概略説明図（ドアの外壁面から見た状態）。
【図２】ドアの外壁面から見た主要部の概略説明図（ドア枠の上の横枠は仮想線）。
【図３】平面視からの実施環境の一例を示す概略説明図（ドアは閉じる方向へ移動）。
【図４】右側面視からの概略説明図（ドアは閉じる方向へ移動）。
【図５】防御枠体を加味した本装置の取付け状態を下方から見た状態の説明図。
【図６】図５に於いて、防御枠体を取り外した状態を示す説明図。
【図７】本装置の斜視図。
【図８】本装置の分解斜視図。
【図９】図８の９−９線断面説明図。
【図１０】要部（回転アーム、該回転アームの中に組み込まれる部材等）の分解斜視図。
【図１１】要部（防御枠体）の平面図。
【図１２】防御枠体を背面から見た斜視図。
【図１３】要部（基板）の説明図。
【図１４】回転アームと、該回転アームの中に組み込まれる部材の説明図。
【図１５】復帰バネの取付け態様と作用を平面視で示す概略説明図。
【図１６】ダンパバネの取付け態様と作用を平面視で示す概略説明図。
【図１７】通常の扉閉の場合の概略説明図。
【図１８】扉閉時、高い圧力が装置に加わった場合の概略説明図。
【図１９】回転アームを所定の角度に保持する他の実施例を示す説明図。
【発明を実施するための形態】
【００１３】
以下、本発明の実施形態を、図面を参照しながら説明する。なお、本実施例の実施化レベルに於いては、座金、支軸の外嵌合する筒状体、滑りを良好にする部材等の細部的部材が多数用いられるが、これらの部材は本発明の限定要件ではないので、図面や説明を省略している。
【００１４】
まず、実施環境を示す図１を参照にして、本発明の取付け場所を説明する。図１はドアの外壁面から見ている。この図１に於いて、１はドア枠、１ａは該ドア枠の上横枠、１ｂはドア枠の縦枠、２は開き扉（以下、「ドア」という）、３は該ドアの基端部を軸支する蝶番、４は外側ドアハンドル、５はシリンダ取付け台座、６はシリンダである。したがって、図面の左側がドア２の自由端部２ａである。また、符号７はドアの内壁面である。そして、本発明の指詰め事故防止装置（以下、「本装置」という）Ｘ及び防御枠体Ｙは、ドア枠の上横枠１ａのドア２の自由端部２ａ側に固定的に配設されている。
【００１５】
図２は、ドアの外壁面から見た主要部の概略説明図で、ドア枠１の上の横枠１ａは仮想線で示してある。図２ではドア２を省略しているが、ドア２は手前に位置している。すなわち、図３を参照にすると、上横枠１ａに本装置Ｘ及び防御枠体Ｙが取付けられ、その回転アーム１５の接触子１８が閉じる方向Ａに回転して来るドア２の内壁面７に交差状態に延在していることが理解することができる。
【００１６】
図４は、右側面視からの概略説明図で、ドア２は閉じる方向へ移動している。図５は防御枠体を加味した本装置の取付け状態を下方見た状態の説明図である。また、図６は防御枠体Ｙを上の横枠１ａから取り外した状態を示す説明図である。これらの各図から明らかなように、本装置Ｘ及び防御枠体Ｙの取付け場所は、ドア枠１の上の横枠１ａに固定的に取付けられている。
【００１７】
付言すると、ストッパーを有する基板１０は、固着具、接着層、ブラケット等の固定手段を介して、ドア枠１の上横枠１ａに固定的に配設され、「指詰め事故」を防止することができるように、その回転アーム１５の接触子１８が閉じる方向Ａに回転して来るドア２の内壁面７に突き当たる。
【００１８】
さて、図７は本装置の斜視図、図８は本装置の分解斜視図である。これらの図に於いて、１０は上横枠１ａに複数個の固着具１１を介して上横枠１ａに固定される基板で、この基板１０は、図９で示すように、縦断面軽ミゾ形綱状に形成され、その内壁面に垂直方向に単数又は複数のストッパー１３，１３が突設されている。本実施例では、前記ストッパー１３，１３は、回転アーム１５の後端部を受け入れることができるように所要間隔を有して左右に一対設けられている。
【００１９】
基板１０の具体的構成を図８及び図９を参照にして説明する。まず、１０ａは上壁で、この上壁１０ａの中央部は段差状の凹所となっている。段差状凹所には、不番の軸孔が形成されている。
【００２０】
次に、１０ｂは上壁１０ａの後端部に直交して連設する連設壁（垂直壁）で、この連設壁１０ｂの略中央部は開口１４している。前述した左右のストッパー１３，１３は、該開口１４の左右端に突出状態で位置するように連設壁１０ｂの内端部を手前側（ドア２の内壁面側）に折り曲げ形成したものである。次に、１０ｃは連設壁１０ｂの下端部に連設しかつ前記上壁１０ａに対向する下壁で、該下壁１０ｃは前記上壁１０ａとは相違し、平らな板状である。下壁１０ａの中央部には上壁１０ａの軸孔と対向する不番の軸孔が形成されている。なお、上壁１０ａの左右端部には、固着具１１，１１用の不番の開口が形成されている。
【００２１】
次に、１２は基板１０の上下の軸孔を介して前記上壁１０ａと下壁１０ｃに垂直状態に架設された支軸で、この支軸１２は、例えば下端部にフランジ１２ａを有すると共に、図示しない座金、筒体、止めリング等を介して基板１０に適宜に固定されている。
【００２２】
次に、１５は基板１０の支軸１２に後端部が位置するように軸支されていると共に、先端部にドア２の内壁面７に交差状態に当接する接触子１８を有する単数又は複数の回転アームである。この回転アーム１５は、本実施例では、その基端部に相当する後端部１６ａが、例えば図７で示すように基板１０の上壁１０ａと下壁１０ｃの空間内に位置するように支軸１２を介して軸支される。
【００２３】
しかして、回転アーム１５は、例えば水平方向に二分割された枠体プレート１５ａ、１５ｂであり、この枠体プレートの中に、ダンパバネ２１の先端部を支持するバネ端支持片２３と、前記ダンパバネ２１と、該ダンパバネの後端部を受けると共に基板１０の支軸１２に軸支された短杆状の支持腕１６と、該支持腕の不番の小突起に一端部２７ａが圧接すると共にその他端部２７ｂが前記基板の切欠部分２８に圧接する復帰バネ２７がそれぞれ組み込まれている。
【００２４】
ところで、前記復帰バネ２７は、例えば開きバネを採用しており、その中央部２７ｃは支軸１２に巻装されている。また、細部的事項の説明や符号は極力割愛するが、二分割された枠体プレート１５ａ、１５ｂには、接触子用の軸孔、支軸１２が貫通する長孔、板状のバネ端支持片２３用の取付け溝、固着具２９用の孔等が適宜に形成されている。
【００２５】
このように、基板１０の支軸１２を介して、例えば下方の枠体プレート１５ａを該基板１０に軸支し、次に、バネ端支持片２３の下端突起を枠体プレート１５ａの不番の取付け溝に嵌め込み、次いで、前記支軸１２にその軸孔を介して短杆状の支持腕１６を下方の枠体プレート１５ａ内に嵌め込み、次いで、ダンパバネ２１を前記バネ端支持片２３と支持腕１６の先端部のバネ端収納部に装着し、さらに、復帰バネ２７の中央部２７ｃを支軸１２に巻装するようにして、本発明の要部の各部材を基板１０乃至枠体プレート１５ａに組込み、然る後に上方の枠体プレート１５ｂを下方の枠体プレート１５ａに合わせ、複数固の固着具２９，２９を介して二分割の枠体プレート１５ａ、１５ｂを一体的に合体する。したがって、本実施例の二分割の枠体プレート１５ａ、１５ｂは、ぴったりと合体するように適宜形状に成形されている。
【００２６】
上記のように、本装置Ｘは、複数個のバネ部材を備えている。付言すると、その一つは、回転アーム１５をその先端部方向へ押し戻すダンパバネ２１で、このダンパバネの外端部２１ｂは、前述したように、回転アーム１５に固定したバネ端支持片２３に当接し、一方、その内端部２１ａは短杆状支持腕１６の先端部に収納されている。
【００２７】
そして、もう一つは、回転アーム１５をドア２の内壁面７に対して突っ支い棒状態となる初期位置へ付勢する復帰バネ２７で、この復帰バネ２７は、図１５で示すように、その中央部２７ｃが支軸１２に巻装された状態で回転アーム１５を戻す方向へと付勢している。そして、前記ダンパバネ２１の圧力が、ドア２が普通の状態で閉まる所定圧の低い場合には、前記回転アーム１５は前記ドア２の内壁面７に当たりながら該ドアが閉じる位置へと変位し、一方、前記ダンパバネ２１が、ドア２が勢いよく閉まる前記所定圧よりも高い場合には、前記回転アーム１５は前記ダンパバネ２１のバネ力に抗して後退動して基板１０のストッパー１３に一時的にロック状態に支持される。
【００２８】
ところで、本装置Ｘは、図５及び図６に示したように、指詰め事故防止装置が破損した際に、転アームが直接飛び散って床面落下しないようにするために、「防御枠体Ｙ」という構成が加味されている。
【００２９】
図１１は、防御枠体Ｙの平面図、図１２は防御枠体Ｙを背面から見た斜視図である。図５、図６、図１１及び図１２に於いて、３１は固着具３２用の取付け穴３３を有する左右の取付け片、これらの取付け片３１、３１を介して防御枠体Ｙは本装置Ｘの基板１０の一部又は全部を囲むように戸枠１の上横枠１ａに固着される。
【００３０】
しかして、３４は左右の側壁、３５は後壁、３６は後壁の上端部を前方に折り曲げで形成された上壁部分、３７は上壁部分の先端部を垂直方向へと折り曲げて形成された位置決め当接片である。前記位置決め当接片３７の垂直前面は、図４で示すように、上横枠１ａの背面に当接可能である。
【００３１】
図１７は通常の扉閉の場合の概略説明図である。図１７を参照にして、通常の扉閉の場合について説明すると、一定圧力以下では、ダンパバネ２１は作動せず、回転アーム１５は短杆状支持腕１６と共働して、矢印で示す方向にそのまま旋回して行く。付言すると、ダンパバネ２１の圧力が、ドア２が普通の状態で閉まる所定圧の場合には、回転アーム１５はドア２の内壁面７に当たりながら該ドアが閉じる位置へと変位する。なお、この閉扉時、図３で示すように、ドア２の内壁面７が接触子１８に当るとき、該接触子１８が内壁に沿って内側（室内）に滑動する。また、図３は回転アーム１５が待機待ち状態のとき、ドア２の内壁面７に対して直角ではなく、内側（室内）に若干傾倒していることを示す。
【００３２】
これに対して、図１８は扉閉時、所定圧よりも高い圧力が装置に加わった場合の概略説明図である。今仮に、高層マンションのドア２の外壁面に所定圧よりも高い圧力が装置に加わるような自然の風圧（強風）が、継続的に当っている場合には、当然、扉閉時には指詰め事故防止装置Ｘにもドア２の内壁面７を介して加わることになる。そこで、扉閉の際、強風がドア２を加圧している場合、換言すると、ダンパバネ２１が、ドア２が勢いよく閉まる所定圧よりも高い場合には、該ダンパバネ２１が作動（収縮）して、回転アーム１５が基板１０の連設壁１０ｂ側へと後退し、本実施例では、ストッパー１３の壁面に一時的にロック状態に支持される。そして、圧力が減衰した場合にはロック状態が解消され、ドア２の内壁面７によって位置変位する。
【実施例】
【００３３】
回転アーム１５が待機待ち状態のとき、ドア２の内壁面７に対して直角ではなく（例えば８５度、８３度など）内側（室内）に若干傾倒する具体的構成態様として、（ａ）基板１０の下壁１０ｃの先端縁に当接しかつ回転アーム１５が後退動可能な半円形状或いはテーパ状の係合突起１９を回転アーム１５の上部或いは下部の適宜箇所に設ける、（ｂ）基板１０を上横枠１ａに固着具１１，１１を介して固着する際に、本装置が上横枠１ａに対して若干斜めになるように取付ける、（ｃ）回転アーム１５の傾倒角度を微調整する調整手段を基板１０の連設壁１０ｂの内壁面や基板１０の上壁１０ａの内壁面に装着する、（ｄ）さらに、図１９で示すように、基板１０の開口１４の一方の縁部（例えば連設壁１０ｂの開口縁部）を内側に折り曲げて、係合部１９Ａを設けるなどがある。
なお、回転アーム１５側に半円形状或いはテーパ状の係合突起１９等を設ける場合には、回転アームの後退時、該係合突起１９が図示しないバネ部材のバネ力に抗して浮上する機構を設けることが望ましい。
【産業上の利用可能性】
【００３４】
錠前や建具の業界で用いられる。
【符号の説明】
【００３５】
Ｘ…指詰め事故防止装置、Ｙ…防御枠体、１…ドア枠、１ａ…ドア枠の上横枠、１ｂ…ドアの自由端部側の縦枠、２…ドア、２ａ…自由端部、７…ドアの内壁面、１０…基板、１１…固着具、１２…支軸、１５…回転アーム、１６…短杆状支持腕、１６ａ…後端部（基端部）、１８…接触子、１９、１９Ａ…係合部、２１…ダンパバネ、２１ａ…内端部、２１ｂ…外端部、２７…復帰バネ。
【図１】
2011214227.tif 000003
【図２】
2011214227.tif 000004
【図３】
2011214227.tif 000005
【図４】
2011214227.tif 000006
【図５】
2011214227.tif 000007
【図６】
2011214227.tif 000008
【図７】
2011214227.tif 000009
【図８】
2011214227.tif 000010
【図９】
2011214227.tif 000011
【図１０】
2011214227.tif 000012
【図１１】
2011214227.tif 000013
【図１２】
2011214227.tif 000014
【図１３】
2011214227.tif 000015
【図１４】
2011214227.tif 000016
【図１５】
2011214227.tif 000017
【図１６】
2011214227.tif 000018
【図１７】
2011214227.tif 000019
【図１８】
2011214227.tif 000020
【図１９】
2011214227.tif 000021